(57)【特許請求の範囲】
【請求項１】
複数個の取付孔が設けられた板状の導電性取付部と、
前記導電性取付部の一辺から延長され、かつその延長された先端部にアンテナが取り付けられる板状の導電性延長部とからなり、
前記導電性取付部は車両のルームミラー取付部と導電性屋根板との間に挟まれてルームミラー取付部と共締めされ、前記アンテナが車両のフロントガラスの上側辺縁側から下方に向けて取り付けられるアンテナ取付装置において、前記導電性延長部の基部と先端部との間に長孔が穿設され、該長孔には、基部がルームミラーに取付けられて、先端が前記フロントガラスに当接して該ルームミラーの振動を防止する支柱を通らしめてなることを特徴とするアンテナ取付装置。
【請求項２】
複数個の取付孔が設けられた板状の導電性取付部と、
前記導電性取付部の一辺から延長され、かつその延長された先端部にアンテナが取り付けられる板状の導電性延長部とからなり、
前記導電性取付部は車両のルームミラー取付部と導電性屋根板との間に挟まれてルームミラー取付部と共締めされ、前記アンテナが車両のフロントガラスの上側辺縁側から下方に向けて取り付けられるアンテナ取付装置において、前記導電性延長部は、前記導電性取付部の一辺の端部とその中央部との間の辺縁から延長されて形成されてなることを特徴とするアンテナ取付装置。
【発明の詳細な説明】
【０００１】
【発明の属する技術分野】
この発明は、遠隔操作によって車両のエンジンを始動するために用いられる遠隔式エンジン始動装置、ドアの施解錠装置等の無線装置のアンテナ取付装置に関するものである。
【０００２】
【従来の技術】
この種の発明に係る従来の無線装置、例えば遠隔式エンジン始動装置のアンテナは、車両のうち電波の受信環境のよいトランクルームの近傍に取り付けられ、離れたところから送信されてきた電波を受信して、その受信電波をフロントグリル近傍に設けられたコントローラまでハーネスで信号を送っていた。
【０００３】
【発明が解決しようとする課題】
そのために、ハーネスを車両の後部から前部にまで引き回さなくてはならず、配線が長くなり煩わしかった。
また、最近では車両に取り付けられる無線装置の種類が多くなり、トランクルーム近傍に取り付けられるアンテナの本数が多くなり、余り見栄えの良いものではなかった。
【０００４】
そこで、この発明は、上記問題点に着目してなされたもので、アンテナをフロントグリルに近いルームミラーの近傍に配置してハーネスを短くし、かつ外部から目立たないようにすることを目的とする。
【０００６】
【課題を解決するための手段】
このアンテナ取付装置に係る発明は、複数個の取付孔が設けられた板状の導電性取付部と、前記導電性取付部の一辺から延長され、かつその延長された先端部にアンテナが取り付けられる板状の導電性延長部とからなり、前記導電性取付部は車両のルームミラー取付部と導電性屋根板との間に挟まれてルームミラー取付部と共締めされ、前記アンテナが車両のフロントガラスの上側辺縁側から下方に向けて取り付けられ、前記導電性延長部の基部と先端部との間に長孔が穿設され、該長孔には、基部がルームミラーに取付けられて、先端が前記フロントガラスに当接して該ルームミラーの振動を防止する支柱を通らしめてなることを特徴とするものである。
【０００７】
この発明は、複数個の取付孔が設けられた板状の導電性取付部と、前記導電性取付部の一辺から延長され、かつその延長された先端部にアンテナが取り付けられる板状の導電性延長部とからなり、前記導電性取付部は車両のルームミラー取付部と導電性屋根板との間に挟まれてルームミラー取付部と共締めされ、前記アンテナが車両のフロントガラスの上側辺縁側から下方に向けて取り付けられ、前記導電性延長部は、前記導電性取付部の一辺の端部とその中央部との間の辺縁から延長されて形成されてなることを特徴とするものである。
【０００９】
【発明の実施の形態】
実施の形態１．
次に、この発明による実施の形態１を図１に基づいて以下に説明する。
１はアンテナ取付装置で、複数個の取付孔２ａ，２ｂ，２ｃが設けられて台形状をなした板状の導電性取付部３と、導電性取付部３の下底をなす一辺から長方形をなすように延長され、かつその先端部が直角に折り曲げられて棒状のアンテナ７の樹脂性ケーブル接続部７ａがネジ止めされるアンテナ取付部４が形成されてなる導電性延長部５とから形成されてなると共に、その導電性延長部５の中間部には長孔６が穿設されている。なお、図中８はアンテナ７と受信回路（不図示）とを電気接続するためのケーブル線である。また、樹脂性ケーブル接続部７ａは台状をなし、棒状のアンテナ７が固定されている。
【００１０】
このように形成されたアンテナ取付装置１の導電性取付部３は、図３に示すように車両のルームミラー９のフランジ１０と共に、導電性を有する車両天井金属板（導電性屋根板）１１に共締めされる。
すなわち、棒状のアンテナ７の基部が導電性延長部５の先端部に形成されたアンテナ取付部４に、絶縁性を有する樹脂性ケーブル接続部７ａを介してネジ止めされた後、ルームミラー９の振動防止部材１３を長孔６に通した後に、ルームミラー９のフランジ１０の基部にアンテナ取付装置１の導電性取付部３が重ね合わされて取付ネジ１２によって共締めされて車両天井金属板１１に固定して取り付けられ、かつそれによってアンテナ取付装置１が車両ボディに接地されると共に、振動防止部材１３の先端部がフロントガラスの内面に押し付けられることによってルームミラー９は外部振動の影響を受けにくくなる。またこのフランジ１０の基部は後にカバー１４によって覆われる。
なお、ケーブル８は、同軸のシールド線で、軸線がアンテナ７に接続され、また、シールド線が樹脂性ケーブル接続部７ａとアンテナ取付部４にネジ止めするネジに接続されることによって車両ボディに接地される。
【００１１】
実施の形態２．
この実施の形態２は、上記実施の形態１に示したものと次の点で異なる。
すなわち、図４及び図６において、アンテナ取付装置２０は方形の導電性取付部２１と、導電性延長部２３とからなり、その導電性取付部２１の一辺には切り欠き（図１の取付孔２ａに相当）２２ａが設けられると共に、平行に一対の長孔状の調整・取付孔（図１の取付孔２ｂ，２ｃに相当）２２ｂ，２２ｃが穿設されている。
【００１２】
また、導電性取付部２１の切り欠き２２ａが設けられた一辺に対向する辺縁のうち、中心線を避けるようにした半分の一方の辺縁から導電性延長部２３が延長されて設けられ、かつその先端部は、実施の形態１で説明したものと同様に直角に折り曲げられて（図５参照）棒状のアンテナ７がネジ止めされるアンテナ取付部２４が形成されてなる。
【００１３】
このように形成されたアンテナ取付装置２０の導電性取付部２１は、図６及び図９に示すように車両のルームミラー９のフランジ１０と共に、車両天井金属板１１に取付ネジ１２ａ，１２ｂ，１２ｃによって共締めされる。
すなわち、棒状のアンテナ７の基部を形成する樹脂性ケーブル接続部７ａが導電性延長部２３の先端部に形成されたアンテナ取付部２４にネジ止めされた後、ルームミラー９のフランジ１０の基部にアンテナ取付装置２０の導電性取付部２１が重ね合わされ、取付ネジ１２ｂ、１２ｃが長孔状の取付孔２２ｂ，２２ｃに通され、かつ取付ネジ１２ａをワッシャ２５を介して車両天井金属板１１に共締めするこ、とによって固定して取り付け、それによってアンテナ取付装置２０が車両ボディに接地される。
【００１４】
なお、車両によってフロントガラス２６の上側辺縁とルームミラー９の取付位置との間の距離Ａが異なり、その距離が短い小型車種（図６，図８に示す）にあっては、車両前方からアンテナ取付装置２０の先端部である導電性延長部２３の先端部が見えないようにアンテナ取付装置２０を後方にずらし、導電性取付部２１の切り欠き２２ａの周縁がワッシャ２５に接するように配置する。
【００１５】
また、フロントガラス２６の上側辺縁とルームミラー９の取付位置との間の距離Ａが長い大型車種（図７に示す）にあっては、アンテナ７の全長がフロントガラス２６を介して外部から見え、良好な受信環境が得られるようにアンテナ取付装置２０を前方にずらして配置する。
すなわち、アンテナ取付部２４が図９に示すように車両天井の先端（フロントガラス２６側）Ｂに接するように前後位置を調整することによってアンテナ７のみがフロントガラス２６を介して外部から見える位置に配置でき、それによってアンテナ７の受信環境を良好にでき、さらに見栄えもよくできる。
【００１６】
【発明の効果】
以上説明したように、この発明によれば、アンテナをフロントガラスを介して前方から見えるようにルームミラーの取付位置を調整可能に取り付けることができるという効果を発揮できる。
【図面の簡単な説明】
【図１】本発明によるアンテナ取付装置の実施の形態１の平面説明図である。
【図２】図１の側面図である。
【図３】図１に示したアンテナ取付装置のルームミラーへの組み付け説明図である。
【図４】本発明によるアンテナ取付装置の実施の形態２の平面説明図である。
【図５】図４の側面図である。
【図６】図４に示したアンテナ取付装置のルームミラーへの組み付け説明図である。
【図７】大型車両にアンテナを取り付けるためのアンテナ取付装置の位置調整した説明図である。
【図８】小型車両にアンテナを取り付けるためのアンテナ取付装置の位置調整した説明図である。
【図９】アンテナ取付装置をルームミラーと共に取り付けた状態を示す断面説明図である。
【符号の説明】
１，２０  アンテナ取付装置
２ａ，２ｂ，２ｃ  取付孔
３，２１  導電性取付部
４，２４  アンテナ取付部
５，２３  導電性延長部
６  長孔
７  アンテナ
９  ルームミラー
１０  フランジ
１１  車両天井金属板
１２，１２ａ，１２ｂ，１２ｃ  取付ネジ
１３  振動防止部材
１４  カバー
２２ａ  切り欠き
２２ｂ，２２ｃ  取付孔
【図１】
0003808138.tif 000002
【図２】
0003808138.tif 000003
【図３】
0003808138.tif 000004
【図４】
0003808138.tif 000005
【図５】
0003808138.tif 000006
【図６】
0003808138.tif 000007
【図７】
0003808138.tif 000008
【図８】
0003808138.tif 000009
【図９】
0003808138.tif 000010